(57)【要約】【課題】ユーザの操作を簡易化できる水分率測定装置を提供する。【解決手段】水分計１は、計量部３と、加熱部８と、制御部１４と、記憶部１２とを備える。制御部１４には、加熱処理部１４１、記憶処理部１４２及び水分率算出処理部１４４が含まれる。記憶処理部１４２は、加熱部８により試料を加熱する際の加熱条件を設定情報１２１として試料情報１２２に対応付けて記憶部１２に記憶させる。加熱処理部１４１は、記憶部１２に記憶されている設定情報１２１に基づいて、加熱部８を動作させて試料を加熱する。水分率算出処理部１４４は、計量部３が計量する加熱前の試料の重量、及び、加熱終了時の試料の重量に基づいて、試料Ｓの水分率を測定する。そのため、水分計１において加熱条件を設定する作業を省くことができる。その結果、水分計１を用いる際のユーザの操作を簡易化できる。【選択図】  図２
2019152572.tif 000002
【特許請求の範囲】
【請求項１】
試料を加熱する加熱部と、
前記加熱部により加熱される試料の重量を計量する計量部と、
前記加熱部の加熱により変化する前記計量部の計量値に基づいて、試料の水分率を算出する水分率算出処理部と、
前記加熱部により試料を加熱する際の加熱温度を設定値として試料に対応付けて記憶部に記憶させる記憶処理部とを備えることを特徴とする水分率測定装置。
【請求項２】
前記記憶処理部は、前記加熱部により試料を加熱する際の加熱時間を前記設定値として試料に対応付けて前記記憶部に記憶させることを特徴とする請求項１に記載の水分率測定装置。
【請求項３】
前記記憶処理部は、前記加熱部による試料の加熱を終了する際の加熱終了条件を前記設定値として試料に対応付けて前記記憶部に記憶させることを特徴とする請求項１又は２に記載の水分率測定装置。
【請求項４】
前記記憶処理部は、前記加熱温度を時間とともに変化するように前記記憶部に記憶させることを特徴とする請求項１〜３のいずれか一項に記載の水分率測定装置。
【請求項５】
外部から前記設定値が入力されるデータ入力部をさらに備え、
前記記憶処理部は、前記データ入力部に入力された前記設定値を前記記憶部に記憶させることを特徴とする請求項１〜３のいずれか一項に記載の水分率測定装置。
【請求項６】
前記設定値が試料に対応付けて保持された保持媒体から、前記設定値を読み取る読取処理部をさらに備え、
前記記憶処理部は、前記読取処理部で読み取られた前記設定値を前記記憶部に記憶させることを特徴とする請求項１〜３のいずれか一項に記載の水分率測定装置。
【請求項７】
前記記憶処理部により前記設定値が前記記憶部に記憶された後、前記計量部による計量を自動的に開始させる計量処理部をさらに備えることを特徴とする請求項１〜６のいずれか一項に記載の水分率測定装置。
【発明の詳細な説明】
【技術分野】
【０００１】
本発明は、加熱される試料の重量に基づいて、試料の水分率を算出する水分率測定装置に関するものである。
【背景技術】
【０００２】
従来より、加熱される試料の重量を計量し、その計量値に基づいて試料の水分率を測定する、いわゆる加熱乾燥式の水分率測定装置が利用されている。水分率測定装置では、加熱前の試料の重量、及び、加熱乾燥後の試料の重量が計量され、これらの値から試料の重量変化量が算出される。そして、その重量変化量に基づいて、試料の水分率が測定される（例えば、下記特許文献１参照）。
【０００３】
特許文献１に記載の水分率測定装置（水分計）では、試料を加熱する際の加熱温度や、加熱時間、加熱パターンなど、加熱条件に関する各種パラメータが設定される。そして、水分率測定装置では、その設定されたパラメータに基づいて試料の加熱処理が行われて、試料の水分率が測定される。
【先行技術文献】
【特許文献】
【０００４】
【特許文献１】特開２０１３−１４５１４１号公報
【発明の概要】
【発明が解決しようとする課題】
【０００５】
上記した従来の水分率測定装置で試料の水分率を測定する際には、ユーザは、試料を水分率測定装置内に設置するとともに、水分率測定装置の本体に設けられた操作部を操作して各種パラメータを設定する。そして、ユーザは、設定入力が完了した後、操作部を操作して、測定開始を入力する。
【０００６】
ここで、水分率を測定する試料の種類が異なると、最適な加熱条件が異なる。そのため、水分率測定装置において、複数種類の試料を順次測定する場合などには、ユーザは、測定のたびに各種パラメータを変更する設定操作を行う必要がある。そのため、ユーザの作業が煩雑化してしまう。また、通常、水分率測定装置は小型の装置であるため、操作部の領域が小さく、操作部の構成も必要最小限にとどめられている。そのため、水分率測定装置の操作部で行う操作が増えれば増えるほど、ユーザの作業が煩雑化してしまう。
本発明は、上記実情に鑑みてなされたものであり、ユーザの操作を簡易化できる水分率測定装置を提供することを目的とする。
【課題を解決するための手段】
【０００７】
（１）本発明に係る水分率測定装置は、加熱部と、計量部と、水分率算出処理部と、記憶処理部とを備える。前記加熱部は、試料を加熱する。前記計量部は、前記加熱部により加熱される試料の重量を計量する。前記水分率算出処理部は、前記加熱部の加熱により変化する前記計量部の計量値に基づいて、試料の水分率を算出する。前記記憶処理部は、前記加熱部により試料を加熱する際の加熱温度を設定値として試料に対応付けて記憶部に記憶させる。
【０００８】
このような構成によれば、記憶処理部により試料の加熱温度の値が設定値として試料に対応付けられて記憶部に記憶される。そして、加熱部は、記憶部に記憶されている設定値の温度で、試料を加熱する。
そのため、ユーザが水分率測定装置の本体において加熱温度を設定する作業を省くことができる。
その結果、水分率測定装置を用いる際のユーザの操作を簡易化できる。
【０００９】
（２）また、前記記憶処理部は、前記加熱部により試料を加熱する際の加熱時間を前記設定値として試料に対応付けて前記記憶部に記憶させてもよい。
【００１０】
このような構成によれば、試料の加熱時間の値が、設定値として試料に対応付けられて記憶部に記憶される。そして、加熱部は、記憶部に記憶されている設定値の加熱時間で、試料を加熱する。
そのため、ユーザが水分率測定装置の本体において加熱時間を設定する作業を省くことができる。
その結果、水分率測定装置を用いる際のユーザの操作を一層簡易化できる。
【００１１】
（３）また、前記記憶処理部は、前記加熱部による試料の加熱を終了する際の加熱終了条件を前記設定値として試料に対応付けて前記記憶部に記憶させてもよい。
【００１２】
このような構成によれば、加熱を終了する際の加熱終了条件が、設定値として試料に対応付けられて記憶部に記憶される。そして、加熱部は、記憶部に記憶されている加熱終了条件となった場合に、試料の加熱を終了する。
そのため、ユーザが水分率測定装置の本体において加熱終了条件を設定する作業を省くことができる。
その結果、水分率測定装置を用いる際のユーザの操作を一層簡易化できる。
【００１３】
（４）また、前記記憶処理部は、前記加熱温度を時間とともに変化するように前記記憶部に記憶させてもよい。
【００１４】
このような構成によれば、加熱部により種々の加熱パターンで試料を加熱できる。
そのため、最適な加熱条件を設定値とすることができる。そして、その加熱条件に基づいて試料を加熱できる。
【００１５】
（５）また、前記水分率測定装置は、データ入力部をさらに備えてもよい。前記データ入力部には、外部から前記設定値が入力される。前記記憶処理部は、前記データ入力部に入力された前記設定値を前記記憶部に記憶させてもよい。
【００１６】
このような構成によれば、外部の装置において設定値を作成し、その設定値をデータ入力部を介して記憶部に記憶させることができる。
そのため、設定値の情報量が多い場合であっても、その設定値を記憶部に記憶させることができる。
【００１７】
（６）また、前記水分率測定装置は、読取処理部をさらに備えてもよい。前記読取処理部は、前記設定値が試料に対応付けて保持された保持媒体から、前記設定値を読み取る。前記記憶処理部は、前記読取処理部で読み取られた前記設定値を前記記憶部に記憶させてもよい。
【００１８】
このような構成によれば、設定値が保持された保持媒体を介して、設定値を記憶部に記憶させることができる。
【００１９】
例えば、試料を保管する容器などに保持媒体を貼付しておき、試料の水分率を測定する際に、読取処理部により保持媒体が保持する設定値を読み取るようにすれば、試料と設定値とを併せて管理できる。そのため、最適な設定値で試料の水分率を測定できる。
【００２０】
（７）また、前記水分率測定装置は、計量処理部をさらに備えてもよい。前記計量処理部は、前記記憶処理部により前記設定値が前記記憶部に記憶された後、前記計量部による計量を自動的に開始させる。
【００２１】
このような構成によれば、ユーザが水分率測定装置の本体において計量開始を入力する作業を省くことができる。
その結果、水分率測定装置を用いる際のユーザの操作を一層簡易化できる。
【発明の効果】
【００２２】
本発明によれば、記憶処理部により試料の加熱温度の値が設定値として試料に対応付けられて記憶部に記憶される。加熱部は、記憶部に記憶されている設定値の温度で、試料を加熱する。そのため、ユーザが水分率測定装置の本体において加熱温度を設定する作業を省くことができる。その結果、水分率測定装置を用いる際のユーザの操作を簡易化できる。
【図面の簡単な説明】
【００２３】
【図１】本発明の第１実施形態に係る水分計の構成を示した斜視図である。
【図２】水分計の制御部、及び、その周辺の部材の電気的構成を示したブロック図である。
【図３】水分計における加熱部の加熱パターンを示したグラフである。
【図４】水分計で計量する試料の重量の経時的変化を示したグラフである。
【図５】本発明の第２実施形態に係る水分率測定装置の電気的構成を示したブロック図である。
【図６】本発明の第３実施形態に係る水分率測定装置の水分計の電気的構成を示したブロック図である。
【図７】本発明の第３実施形態に係る水分率測定装置の出力端末の電気的構成を示したブロック図である。
【発明を実施するための形態】
【００２４】
１．水分計の全体構成
図１は、本発明の第１実施形態に係る水分計１の構成を示した斜視図である。
水分計１は、加熱乾燥式の測定装置であって、本体ケース２と、計量部３と、表示部４と、操作部５と、試料皿６と、蓋体７と、加熱部８とを備えている。この実施形態では、水分計１が、水分率測定装置の一例である。
【００２５】
本体ケース２は、扁平な箱状に形成されている。
計量部３は、電磁力平衡式の天秤機構であって、本体ケース２内に収容されている。
表示部４及び操作部５は、本体ケース２上に設けられている。表示部は、例えば、液晶表示器からなる。
【００２６】
操作部５は、例えば、テンキーなどからなる。
試料皿６は、本体ケース２の上部に設けられている。計量部３は、試料皿６上に載置された試料Ｓの重量を計量する。
【００２７】
蓋体７は、上面が閉塞された円筒状に形成されており、その端部が本体ケース２に回転可能に取り付けられている。蓋体７は、本体ケース２の上面を開放する開状態（図１の状態）と、本体ケース２の上面に密着する（試料皿６の周囲を覆う）閉状態との間で移動可能である。
加熱部８は、赤外線ランプやハロゲンランプなどであって、蓋体７の内部空間７Ａ内に配置されている。
【００２８】
水分計１を用いて試料の水分率を測定する場合には、まず、ユーザは、測定対象である試料Ｓを試料皿６上に載置する。その後、ユーザは、蓋体７を閉状態にする。そして、この状態で、加熱部８により試料Ｓが加熱される。試料Ｓは、加熱部により加熱されることで（乾燥することで）、徐々に重量が減少する。計量部３は、試料皿６に載置された試料Ｓの重量を、加熱前の状態から常時計量する。水分計１では、予め定める終了条件（後述する）を満たす状態になると、加熱部８の加熱動作が停止される。そして、水分計１では、計量部３が計量する加熱前の試料Ｓの重量、及び、加熱乾燥後の試料Ｓの重量に基づいて、試料Ｓの水分率が測定される。測定された水分率は、表示部４に表示される。
【００２９】
２．制御部及びその周辺の部材の電気的構成
図２は、水分計１の制御部、及び、その周辺の部材の電気的構成を示したブロック図である。
水分計１は、上記した計量部３及び加熱部８に加えて、温度検知部１１と、記憶部１２と、データ入力部１３と、制御部１４とを備えている。
【００３０】
温度検知部１１は、蓋体７が閉状態となるときの内部空間７Ａ（試料皿６）の温度を検知する。
記憶部１２は、ＲＯＭ（Read Only Memory）及びＲＡＭ（Random Access Memory）などにより構成されている。記憶部１２には、複数の設定情報１２１が記憶されている。設定情報１２１は、加熱部８により試料Ｓを加熱する際の加熱条件の情報である。設定情報１２１には、試料情報１２２、温度情報１２３、時間情報１２４及び終了条件情報１２５が含まれており、これらは互いに対応づけられている。
【００３１】
試料情報１２２は、測定対象である試料Ｓの種類を示す情報である。
温度情報１２３は、試料Ｓを加熱する際の加熱温度の情報である。
時間情報１２４は、試料Ｓを加熱する時間の情報である。
【００３２】
終了条件情報１２５は、水分計１での水分率測定を終了する条件（加熱終了条件）を示す情報である。具体的には、終了条件情報１２５は、試料の重量の変化割合（単位時間あたりの試料重量の変化量）の閾値を示す情報である。
【００３３】
データ入力部１３は、外部データの入力を受け付ける。この例では、水分計１には、ＵＳＢメモリ２０を接続するためのＵＳＢポート（接続口）が形成されている（図示せず）。データ入力部１３は、このＵＳＢポートに接続された入力受付部である。データ入力部１３は、ＵＳＢポートに接続されたＵＳＢメモリ２０からのデータの入力を受け付ける。なお、データ入力部１３は、ＵＳＢメモリ２０以外の携帯型記録媒体からのデータの入力を受け付ける構成であってもよい。
【００３４】
制御部１４は、例えば、ＣＰＵ（Central Processing Unit）を含む構成である。制御部１４には、計量部３、加熱部８、温度検知部１１、記憶部１２及びデータ入力部１３などが接続されている。制御部１４は、ＣＰＵがプログラムを実行することにより、加熱処理部１４１、記憶処理部１４２、計量処理部１４３及び水分率算出処理部１４４などとして機能する。
【００３５】
加熱処理部１４１は、記憶部１２に記憶されている設定情報１２１を読み出すとともに、その設定情報１２１に基づいて、加熱部８の加熱動作を制御する。
記憶処理部１４２は、データ入力部１３に入力された設定値の情報（設定情報１２１）を記憶部１２に記憶させる。
計量処理部１４３は、記憶処理部１４２により設定情報１２１が記憶部１２に記憶されたことに応じて、計量部３の計量動作を自動的に開始させる。
水分率算出処理部１４４は、計量部３の計量値に基づいて、試料Ｓの水分率を算出する。
【００３６】
３．水分計での具体的動作
この例では、当初は、水分計１の記憶部１２には、設定情報１２１は記憶されておらず、これらの情報は、ＵＳＢメモリ２０に記憶されている。各設定情報１２１は、水分計１で水分率を測定する試料ごとに作成されている。この設定情報１２１は、例えば、水分計１とは別途設けられるＰＣ端末において作成されて、ＵＳＢメモリ２０に格納される。
【００３７】
水分計１を用いる場合には、ユーザは、試料Ｓを試料皿６上に載置して蓋体７を閉状態にするとともに、ＵＳＢメモリ２０を水分計１のＵＳＢポート（接続口）に接続する。そして、データ入力部１３に、ＵＳＢメモリ２０内の情報（複数の設定情報１２１）が入力される。また、記憶処理部１４２は、データ入力部１３に入力された複数の設定情報１２１を記憶部１２に記憶させる。
【００３８】
そして、この例では、記憶処理部１４２に記憶されている設定情報１２１の試料情報１２２の種類が、表示部４に表示される。また、ユーザは、操作部５のテンキーを操作して、表示される複数の試料の情報のうち、試料Ｓ（測定対象である試料の種類）を選択する。
加熱処理部１４１は、選択された試料情報１２２が含まれる設定情報１２１を読出し、設定情報１２１が示す加熱条件に基づいて、加熱部８を加熱する。
【００３９】
具体的には、加熱処理部１４１は、温度検知部１１が検知する温度が、温度情報１２３の温度となるように、加熱部８を加熱する。また、加熱処理部１４１は、温度情報１２３が示す時間だけ、加熱部８を加熱する。また、加熱処理部１４１は、終了条件情報１２５が示す終了条件となった場合に、加熱部８の加熱を終了する。
【００４０】
図３は、水分計１における加熱部８の加熱パターンを示したグラフである。図３のグラフでは、横軸が時間を示しており、縦軸が温度を示している。図３のグラフは、加熱処理部１４１が、記憶部１２に記憶される設定情報１２１の温度情報１２３及び時間情報１２４に基づいて、加熱部８を加熱した場合の加熱パターンを示している。この例では、温度情報１２３として複数の加熱温度が設定されており、その各温度に対応する加熱時間が時間情報１２４として設定されている。
【００４１】
なお、加熱処理部１４１は、加熱部８を一定温度で加熱してもよい。この場合、加熱部８を加熱する場合の加熱パターンを示すグラフ（図３に対応するグラフ）は、横軸に沿って延びる直線状となる。
【００４２】
図４は、水分計１で計量する試料Ｓの重量の経時的変化を示したグラフである。図４のグラフでは、横軸が時間を示しており、縦軸が試料の重量を示している。この例では、終了条件情報１２５として、試料重量の変化割合（単位時間あたりの試料重量の変化量）の閾値が設定されている。加熱処理部１４１は、計量部３が計量する試料Ｓの重量の変化割合（単位時間あたりの試料重量の変化量）が、終了条件情報１２５で示す閾値未満となった場合に、加熱部８の加熱を終了する。すなわち、加熱処理部１４１は、試料Ｓの重量変化が少なくなり、乾燥が十分に行われた時点で加熱部８による加熱を終了させる。また、水分率算出処理部１４４は、計量部３が計量する加熱前の試料Ｓの重量、及び、加熱終了時の試料Ｓの重量に基づいて、試料Ｓの水分率を測定する。
【００４３】
そして、ユーザは、蓋体７を開状態として測定が終了した試料Ｓを取り出し、次の試料Ｓを試料皿６にセットする。そして、ユーザは、表示部４に表示される複数の試料の情報のうち、次の試料Ｓ（測定対象である試料の種類）を選択する。加熱処理部１４１は、上記したように、対象となる設定情報１２１を読み出すとともに、その設定情報１２１に基づいて、加熱部８を加熱する。
このように、水分計１では、記憶部１２に記憶される設定情報１２１に基づいて、加熱部８による加熱動作が繰り返される。
【００４４】
なお、計量部３の計量動作は、計量処理部１４３により自動的に開始されてもよい。この場合、記憶処理部１４２は、計量処理部１４３が記憶部１２に設定情報１２１を格納したことに応じて、計量部３の計量動作を開始する。例えば、ＵＳＢメモリ２０に１種類の設定情報１２１が記憶されている場合などには、計量処理部１４３は、この設定情報１２１が記憶処理部１４２により記憶部１２に格納されたことに応じて、計量部３の計量動作を自動的に開始する。これにより、ユーザによる操作部５での操作をさらに省くことができる。
【００４５】
４．作用効果
（１）本実施形態によれば、図２に示すように、水分計１は、計量部３と、加熱部８と、制御部１４と、記憶部１２とを備える。制御部１４には、加熱処理部１４１、記憶処理部１４２及び水分率算出処理部１４４が含まれる。記憶処理部１４２は、加熱部８により試料Ｓを加熱する際の加熱温度を温度情報１２３として試料情報１２２に対応付けて記憶部１２に記憶させる。加熱処理部１４１は、記憶部１２に記憶されている温度情報１２３（試料Ｓを示す試料情報１２２に対応付けられる温度情報１２３）に基づいて、加熱部８を動作させて試料Ｓを加熱する。水分率算出処理部１４４は、計量部３が計量する加熱前の試料Ｓの重量、及び、加熱終了時の試料Ｓの重量に基づいて、試料Ｓの水分率を測定する。
【００４６】
そのため、水分計１において加熱温度を設定する作業を省くことができる。
その結果、水分計１を用いる際のユーザの操作を簡易化できる。
【００４７】
（２）また、本実施形態によれば、図２に示すように、記憶処理部１４２は、加熱部８により試料Ｓを加熱する際の加熱時間を時間情報１２４として試料情報１２２に対応付けて記憶部１２に記憶させる。そして、加熱処理部１４１は、記憶部１２に記憶されている時間情報１２４（試料Ｓを示す試料情報１２２に対応付けられる時間情報１２４）が示す加熱時間で、試料Ｓを加熱する。
【００４８】
そのため、水分計１において加熱時間を設定する作業を省くことができる。
その結果、水分計１を用いる際のユーザの操作を一層簡易化できる。
【００４９】
（３）また、本実施形態によれば、図２に示すように、記憶処理部１４２は、加熱部８により試料Ｓの加熱を終了する際の加熱終了条件を、終了条件情報１２５として試料情報１２２に対応付けて記憶部１２に記憶させる。
【００５０】
そのため、水分計１において加熱終了条件を設定する作業を省くことができる。
その結果、水分計１を用いる際のユーザの操作を一層簡易化できる。
【００５１】
（４）また、本実施形態によれば、記憶処理部１４２は、温度情報１２３を、時間とともに変化するように記憶部１２に記憶させる。
【００５２】
そのため、加熱部８により種々の加熱パターンで試料Ｓを加熱できる。
その結果、最適な加熱条件を設定値とすることができる。そして、その加熱条件に基づいて試料Ｓを加熱できる。
【００５３】
（５）また、本実施形態によれば、図２に示すように、水分計１は、データ入力部１３をさらに備える。データ入力部１３には、ＵＳＢメモリ２０に記憶されている設定情報１２１が入力される。記憶処理部１４２は、データ入力部１３に入力された設定情報１２１を記憶部１２に記憶させる。
【００５４】
そのため、外部の装置において設定情報１２１を作成し、その設定情報１２１をデータ入力部１３を介して記憶部１２に記憶させることができる。例えば、水分計１とは別途設けられるＰＣ端末において設定情報１２１作成し、その設定情報１２１がＵＳＢメモリ２０に格納される。そして、ＵＳＢメモリ２０に格納された設定情報１２１が記憶処理部１４２により記憶部１２に格納される。
【００５５】
そのため、設定情報１２１の情報量が多い場合であっても、ユーザが操作部５を操作することなく、その設定情報１２１を記憶部１２に記憶させることができる。
【００５６】
（６）また、本実施形態によれば、図２に示すように、水分計１において、制御部１４は、計量処理部１４３を含む。計量処理部１４３は、記憶処理部１４２により設定情報１２１が記憶部１２に記憶された後、計量部３による計量を自動的に開始させる。
そのため、ユーザが水分計１において計量開始を入力する作業を省くことができる。
その結果、水分計１を用いる際のユーザの操作を一層簡易化できる。
【００５７】
５．第２実施形態
以下では、図５〜図７を用いて、本発明の他の実施形態について説明する。なお、第１実施形態と同様の構成については、上記と同様の符号を用いることにより説明を省略する。
図５は、本発明の第２実施形態に係る水分率測定装置３０の電気的構成を示したブロック図である。
【００５８】
上記した第１実施形態では、水分計１のデータ入力部１３には、ＵＳＢメモリ２０に記憶されている設定情報１２１が入力される。
対して、第２実施形態では、水分計１のデータ入力部１３には、出力端末４０から送信された設定情報１２１が入力される。
【００５９】
具体的には、第２実施形態では、水分計１は、水分率測定装置３０に含まれる。また、水分率測定装置３０は、出力端末４０を備えている。
第２実施形態において、水分計１のデータ入力部１３は、出力端末４０からのデータを受信する受信部として機能する。
【００６０】
出力端末４０は、操作部４１と、記憶部４２と、制御部４３と、データ出力部４４とを備えている。
操作部４１は、例えば、キーボード及びマウスを含む構成である。
【００６１】
記憶部４２は、ＲＯＭ（Read Only Memory）、ＲＡＭ（Random Access Memory）及びハードディスクなどにより構成されている。記憶部４２には、複数の設定情報１２１が記憶されている。
【００６２】
制御部４３は、例えば、ＣＰＵ（Central Processing Unit）を含む構成である。制御部４３には、操作部４１と、記憶部４２及びデータ出力部４４などが電気的に接続されている。制御部４３は、ＣＰＵがプログラムを実行することにより、設定条件生成部４３１及び読出部４３２などとして機能する。
設定条件生成部４３１は、ユーザによる操作部４１の操作に応じて、設定情報１２１を生成（作成）し、生成した設定情報１２１を記憶部４２に格納する。
【００６３】
読出部４３２は、ユーザによる操作部４１の操作に応じて、記憶部４２の設定情報１２１を読み出す。
データ出力部４４は、水分計１に向けてデータを送信する送信部である。
【００６４】
水分率測定装置３０を用いる場合には、ユーザは、操作部４１を操作して、試料を加熱する際の加熱条件（加熱温度、加熱時間及び終了条件）を入力する。設定条件生成部４３１は、入力された加熱条件を設定情報１２１として記憶部４２に格納する。このとき、例えば、記憶部４２には、複数の設定情報１２１が格納される。
【００６５】
そして、ユーザは、操作部４１を操作して、記憶部４２に記憶されている設定情報１２１を水分計１に送信するための入力を行う。このとき、ユーザは、例えば、複数の設定情報１２１の中から１つの設定情報１２１を選択する。読出部４３２は、設定情報１２１を送信する入力があったことに応じて、記憶部４２から設定情報１２１を読み出す。さらに、データ出力部４４は、読出部４３２が読み出した設定情報１２１を水分計１のデータ入力部１３に向けて送信する。
【００６６】
水分計１において、データ入力部１３は、データ出力部４４から送信される設定情報１２１を受信する。記憶処理部１４２は、データ入力部１３が受信した設定情報１２１を記憶部１２に記憶させる。
その後は、上記した第１実施形態と同様の動作が行われ、水分計１において試料Ｓの水分率が測定される。
【００６７】
このように、第２実施形態によれば、水分率測定装置３０では、まず、出力端末４０で設定情報１２１が生成される。そして、その設定情報１２１がデータ出力部４４から送信されて、その設定情報１２１を水分計１のデータ入力部１３で受信する。記憶処理部１４２は、データ入力部１３が受信した設定情報１２１を記憶部１２に記憶させる。
そのため、水分計１において設定情報１２１を設定する作業を省くことができる。
その結果、水分計１を用いる際のユーザの操作を簡易化できる。
【００６８】
６．第３実施形態
図６は、本発明の第３実施形態に係る水分率測定装置５０の水分計１の電気的構成を示したブロック図である。図７は、本発明の第３実施形態に係る水分率測定装置５０の出力端末４０の電気的構成を示したブロック図である。
上記した第２実施形態では、出力端末４０から送信された設定情報１２１が水分計１で受信されて、記憶部１２に記憶される。
【００６９】
対して、第３実施形態では、出力端末４０の記憶部４２に記憶されている設定情報１２１は、保持媒体であるバーコードとして印字されて出力される。そして、そのバーコードが水分計１側で読み取られることで、水分計１の記憶部１２に記憶される。
【００７０】
具体的には、第３実施形態では、水分計１及び出力端末４０は、水分率測定装置５０に含まれる。また、水分率測定装置５０は、読取処理部６１と、出力処理部７１とをさらに備えている。
第３実施形態では、水分計１は、データ入力部１３を備えておらず、読取処理部６１が接続されている。
【００７１】
読取処理部６１は、保持媒体に保持された情報を読み取るためのものである。この例では、読取処理部６１は、バーコードを読み取る。
また、第３実施形態では、出力端末４０は、データ出力部４４を備えておらず、出力処理部７１が接続されている。
出力処理部７１は、情報を保持した保持媒体を出力するためのものである。この例では、出力処理部７１は、バーコードを印字する。
【００７２】
水分率測定装置５０を用いる場合には、ユーザは、上記と同様にして、操作部４１を操作して、設定情報１２１を記憶部４２に記憶させる。また、ユーザは、操作部４１を操作して、記憶部４２に記憶されている設定情報１２１を出力するための入力を行う。読出部４３２は、設定情報１２１を出力するための設定入力があったことに応じて、記憶部４２から設定情報１２１を読み出す。そして、出力処理部７１は、読出部４３２が読み出した設定情報１２１を保持したバーコードを印字（印刷）する。なお、バーコードは、一次元バーコードでもよく、ＱＲコード（登録商標）などの二次元バーコードでもよい。
【００７３】
そして、ユーザは、例えば、試料Ｓを保管する容器にバーコードを貼付する。そして、バーコードが貼付された状態で容器ごと試料Ｓを保管する。
また、ユーザは、保管されている試料Ｓの水分率を測定する際は、容器のバーコードを読取処理部６１によって読み取らせる。記憶処理部１４２は、読取処理部６１がバーコードから読み取った設定情報１２１を記憶部１２に記憶させる。
その後は、、上記した第１実施形態と同様の動作が行われ、水分計１において試料Ｓの水分率が測定される。
【００７４】
このように、第３実施形態によれば、水分率測定装置５０は、読取処理部６１及び出力処理部７１を備える。読取処理部６１は、設定情報１２１が保持されたバーコードなどの保持媒体から、設定情報１２１を読み取る。記憶処理部１４２は、読取処理部６１で読み取られた設定情報１２１を記憶部４２に記憶させる。
【００７５】
そのため、試料Ｓを保管する容器などにバーコードを貼付しておき、試料Ｓの水分率を測定する際に、読取処理部６１によりバーコードが保持する設定情報１２１を読み取るようにすることで、試料Ｓと設定情報１２１とを併せて管理できる。そのため、最適な設定情報１２１で試料Ｓの水分率を測定できる。
【００７６】
なお、出力処理部７１は、ＲＦＩＤなどの非接触型情報保持媒体に設定情報１２１を書き込むものであってもよい。さらに、読取処理部６１は、この非接触型情報保持媒体から非接触で設定情報１２１を読み取るものであってもよい。
【符号の説明】
【００７７】
１        水分計
３        計量部
８        加熱部
１２      記憶部
１３      データ入力部
１４      制御部
２０      ＵＳＢメモリ
３０      水分率測定装置
４０      出力端末
４２      記憶部
５０      水分率測定装置
６１      読取処理部
１２１    設定情報
１２２    試料情報
１２３    温度情報
１２４    時間情報
１２５    終了条件情報
１４２    記憶処理部
１４３    計量処理部
１４４    水分率算出処理部
【図１】
2019152572.tif 000003
【図２】
2019152572.tif 000004
【図３】
2019152572.tif 000005
【図４】
2019152572.tif 000006
【図５】
2019152572.tif 000007
【図６】
2019152572.tif 000008
【図７】
2019152572.tif 000009